(57)【特許請求の範囲】
【請求項１】
シリンダブロックおよび当該シリンダブロックに結合されたシリンダヘッドを含むエンジン本体と、当該エンジン本体の下部に結合されたオイルパンとを備える直列多気筒エンジンを冷却する装置であって、
前記シリンダブロックから前記シリンダヘッドにわたり形成されたウォータジャケットと、
前記エンジン本体における気筒列方向の一端部に開口し、前記ウォータジャケットに冷却液を導入する冷却液入口部と、
前記エンジン本体における気筒列方向の一端部に開口し、前記ウォータジャケットから冷却液を導出する冷却液出口部と、
前記エンジン本体における気筒列方向の一端部に設けられ、前記冷却液入口部を介して前記ウォータジャケットに冷却液を供給するウォータポンプと、
前記エンジン本体の冷却液を導入するラジエータ用冷却液導入部および冷却液を導出するラジエータ用冷却液導出部を有するラジエータと、
前記ウォータポンプと前記ラジエータ用冷却液導出部とを繋ぐ第１冷却液通路と、
前記冷却液出口部と前記ラジエータ用冷却液導入部とを繋ぐとともに、全長にわたり前記エンジン本体における気筒列方向の一端側に位置する第２冷却液通路と、
前記第１冷却液通路に介設されるとともに、当該第１冷却液通路を流れる冷却液の流量を制御する流量制御弁と、
前記第２冷却液通路から分岐し前記流量制御弁に接続される冷却液の分岐通路と、
前記分岐通路に配設されるとともに前記エンジン本体における気筒列方向の一端側以外の前記オイルパンの側部に取り付けられた、エンジンオイルと熱交換するオイルクーラとを備え、
前記流量制御弁は、前記エンジン本体における気筒列方向の一端側のオイルパンの側部に配置した、エンジンの冷却装置。
【請求項２】
前記エンジン本体の気筒列方向における他端部には、オイルポンプと、クランク軸の回転力を前記オイルポンプに伝達する動力伝達機構とが設けられていることを特徴とする、請求項１に記載のエンジンの冷却装置。
【請求項３】
前記エンジン本体の気筒列方向における他端部には、さらにクランク軸の回転力を吸排気弁を開閉駆動する吸気カムシャフト及び排気カムシャフトに伝達する動力伝達機構が設けられていることを特徴とする、請求項２に記載のエンジンの冷却装置。
【請求項４】
前記直列多気筒エンジンは、気筒列方向が車幅方向を向くように配置された横置きエンジンであり、前記シリンダブロックの気筒列方向における一端部に、前記エンジン本体を車両のサイドフレームに固定するためのエンジンマウント用ブラケットが取り付けられていることを特徴とする、請求項１乃至３のいずれかに記載のエンジンの冷却装置。
【発明の詳細な説明】
【技術分野】
【０００１】
本発明は、シリンダブロックおよびシリンダヘッドに設けられたウォータジャケット内をエンジン冷却液が流通するエンジンの冷却構造に関する。
【背景技術】
【０００２】
従来、直列多気筒エンジンを冷却する冷却装置が知られており、その一例が特許文献１に開示されている。特許文献１に記載の冷却装置は、シリンダブロックおよびシリンダヘッドを有するエンジン本体に形成されたウォータジャケットと、上記エンジン本体における気筒列方向の一端部に形成される冷却液入口部と、上記エンジン本体における気筒列方向の他端部に形成される冷却液出口部と、当該冷却液入口部に設けられ、当該冷却液入口部を介して上記ウォータジャケットに冷却液を供給するウォータポンプと、エンジン本体に対して車両前後方向前方側に配置され、冷却液を導入するラジエータ側冷却液導入部を上記気筒列方向の他端側に有し、冷却液を導出するラジエータ側冷却液導出部を上記気筒列方向の一端側に有するラジエータと、上記冷却液出口部に設けられ、上記ラジエータへ流れる冷却液の流量を制御するサーモスタットと、上記サーモスタットと上記ラジエータ側冷却液導入部とを繋ぐ第１冷却水管と、上記ウォータポンプと上記ラジエータ側冷却液導出部とを繋ぐ第２冷却水管とを備えている。
【０００３】
この冷却装置においては、ウォータポンプからウォータジャケットに冷却液が供給され、その冷却液はサーモスタットで流量が制御されつつラジエータに導入されて放熱する。ラジエータで放熱した冷却液は、ウォータポンプに導入される。つまり、冷却液流れ方向の上流側から順に、ウォータポンプ、ウォータジャケット、サーモスタット、第１冷却水管、ラジエータ、第２冷却水管が連結された冷却液循環経路が構成される。
【先行技術文献】
【特許文献】
【０００４】
【特許文献１】特開２０１５−７１９５５号公報
【発明の概要】
【発明が解決しようとする課題】
【０００５】
特許文献１に記載の冷却装置では、上記ウォータポンプとサーモスタットとは、エンジン本体における気筒列方向の一端側と他端側とで離れた位置に配置されるため、冷却液の各循環経路の取り回しが長くなる。その結果、上記冷却液循環経路を流れる冷却液の量が多くなり、エンジン本体の暖気性能を十分に確保することができないという問題があった。また、冷却液の流れを調整するサーモスタット（流量制御弁）を上記ウォータポンプと同じ一端側に配置する際に、エンジンで駆動される複数の補機及びエンジンマウント位置との関係で配置レイアウトを工夫しなければならないという課題もある。
【０００６】
本発明は、上記の事情に鑑みて成されたものであり、流量制御弁とウォータポンプと同じ側に配置する際に、流量制御弁の配置を工夫し、各冷却液通路の配管の長さが長くなるのを防止して、エンジン本体の暖気性能を確保することができるエンジンの冷却装置を提供することを目的とする。
【課題を解決するための手段】
【０００７】
上記の課題を解決するために、本発明は、シリンダブロックおよび当該シリンダブロックに結合されたシリンダヘッドを含むエンジン本体と、当該エンジン本体の下部に結合されたオイルパンとを備える直列多気筒エンジンを冷却する装置であって、前記シリンダブロックから前記シリンダヘッドにわたり形成されたウォータジャケットと、前記エンジン本体における気筒列方向の一端部に開口し、前記ウォータジャケットに冷却液を導入する冷却液入口部と、前記エンジン本体における気筒列方向の一端部に開口し、前記ウォータジャケットから冷却液を導出する冷却液出口部と、前記エンジン本体における気筒列方向の一端部に設けられ、前記冷却液入口部を介して前記ウォータジャケットに冷却液を供給するウォータポンプと、前記エンジン本体の冷却液を導入するラジエータ用冷却液導入部および冷却液を導出するラジエータ用冷却液導出部を有するラジエータと、前記ウォータポンプと前記ラジエータ用冷却液導出部とを繋ぐ第１冷却液通路と、前記冷却液出口部と前記ラジエータ用冷却液導入部とを繋ぐとともに、全長にわたり前記エンジン本体における気筒列方向の一端側に位置する第２冷却液通路と、前記第１冷却液通路に介設されるとともに、当該第１冷却液通路を流れる冷却液の流量を制御する流量制御弁と、前記第２冷却液通路から分岐し前記流量制御弁に接続される冷却液の分岐通路と、前記分岐通路に配設されるとともに前記エンジン本体における気筒列方向の一端側以外の前記オイルパンの側部に取り付けられた、エンジンオイルと熱交換するオイルクーラとを備え、前記流量制御弁は、前記エンジン本体における気筒列方向の一端側のオイルパンの側部に配置した、エンジンの冷却装置を提供する。
【０００８】
本発明によれば、前記流量制御弁を前記エンジン本体における気筒列方向の一端側のオイルパンの側部に配置することにより、他の補機類とのレイアウト干渉を抑制しつつ、ウォータポンプと前記流量制御弁とを同じ気筒列方向の一端側に配置できるため、各冷却液通路の取り回しレイアウトが容易となって各冷却液通路の長さが長くなるのを防止することができる。これにより、第１冷却液通路および第２冷却液通路の部品重量の増大を抑制することができるとともに、第１冷却液通路、第２冷却液通路、およびウォータジャケットを有する冷却液循環経路を流れる冷却液の容量が増大するのを抑制し、エンジンの暖気性能を確保することができる。
【０００９】
本発明においては、前記エンジン本体における気筒列方向の他端部には、オイルポンプと、クランク軸の回転力を前記オイルポンプに伝達する動力伝達機構とが設けられていることが好ましい。
【００１０】
従来の直列多気筒エンジンでは、オイルポンプがオイルパンにおける気筒列方向一端部に設けられ、クランク軸の回転力をオイルポンプおよびカム軸に伝達する動力伝達機構が、シリンダブロックおよびシリンダヘッドにおける気筒列方向一端部に設けられていたため、流量制御弁をエンジン本体の気筒列方向一端部のオイルパンの側部に設けるには不利となる。しかしながら、本構成のように、オイルポンプと、クランク軸の回転力をオイルポンプに伝達する動力伝達機構とを、エンジン本体における気筒列方向他端部に設けることにより、流量制御弁をオイルポンプの従来の配置スペース、つまりオイルパンにおける気筒列方向一端部に配置することが可能となる。これにより、他の補機類などとのレイアウト干渉を抑制しつつ、流量制御弁をコンパクトに配置することができる。
【００１１】
本発明においては、さらに、前記エンジン本体の気筒列方向における他端部には、クランク軸の回転力を吸排気弁を開閉駆動する吸気弁駆動軸及び排気弁駆動軸に伝達する動力伝達機構が設けられていることが好ましい。これにより、他の補機類などとのレイアウト干渉を抑制しつつ、流量制御弁をコンパクトに配置する上でさらに有利となる。
【００１２】
本発明においては、前記直列多気筒エンジンは、気筒列方向が車幅方向を向くように配置された横置きエンジンであり、前記シリンダブロックの気筒列方向における一端部に、前記エンジン本体を車両のサイドフレームに固定するためのエンジンマウント用ブラケットが取り付けられていることが好ましい。
【００１３】
この構成によれば、上述のように外部冷却液通路をエンジン本体における気筒列方向の同じ側に集中的に配置しつつ、流量制御弁とのレイアウト干渉を考慮することなくエンジンマウント部によりエンジン本体をサイドフレームに固定することができる。
【００１４】
本発明においては、前記エンジン本体における気筒列方向の一端側以外のオイルパンの側部には、エンジンオイルと熱交換するオイルクーラが取付られ、このオイルクーラは、前記第２冷却液通路から分岐し流量制御弁に接続される冷却液の分岐通路に配設される。
【００１５】
この構成によれば、オイルパンの側部に配置された流量制御弁の近くにオイルクーラが取付られているため、冷却液の分岐通路が短くできて冷却液の容量が増大するのを抑制できる。
【発明の効果】
【００１６】
以上説明したように、本発明によれば、前記流量制御弁を前記エンジン本体における気筒列方向の一端側のオイルパンの側部に配置することにより、他の補機類などとのレイアウト干渉を抑制しつつ、ウォータポンプと前記流量制御弁とを同じ気筒列方向の一端側に配置できるため、各冷却液通路の取り回しレイアウトが容易となって各冷却液通路の長さが長くなるのを防止して、エンジン本体の暖気性能を確保することができる。しかも、オイルパンの側部に配置された流量制御弁の近くにオイルクーラが取付られているため、冷却液の分岐通路が短くできて冷却液の容量が増大するのを抑制できる。
【図面の簡単な説明】
【００１７】
【図１】本発明の実施形態に係るエンジンの冷却装置の概略構成を示す図である。
【図２】本発明の実施形態におけるエンジンを気筒列方向の一方側（ウォータポンプ側）から見た側面図である。
【図３】本発明の実施形態におけるエンジンを下側から見た底面図である。
【図４】本発明の実施形態におけるエンジンを、シリンダヘッドを除去した状態で斜め上方から見た斜視図である。
【図５】本発明の実施形態におけるエンジンを、シリンダヘッドおよびウォータポンプを除去した状態で示す斜視図である。
【図６】本発明の実施形態におけるシリンダヘッドのウォータジャケットを示す平面図である。
【図７】本発明の実施形態におけるオイルポンプおよび吸気弁駆動軸及び排気弁駆動軸にエンジンの動力を伝達する動力伝達機構を示す側面図である。
【発明を実施するための形態】
【００１８】
以下、添付図面を参照しながら本発明の好ましい実施形態について詳述する。
【００１９】
（全体の概略構成）
なお、以下の説明では、エンジン本体２（図１参照）の気筒列方向おけるトランスミッション７側を「エンジン後側」と称し、その反対側を「エンジン前側」と称することがある。
【００２０】
本発明の実施形態に係る冷却装置が適用されるエンジンは、気筒列方向が車幅方向を向くように横置きに配置された直列多気筒エンジン１（図１参照）である。なお、図１に示される例では、直列４気筒エンジンが冷却対象となっているが、これに限定されず、気筒数を６気筒、８気筒等に変更することも可能である。
【００２１】
図１は、エンジン１の全体構成を概略的に示す模式図であり、同図においては、シリンダブロック３、オイルパン９、およびトランスミッション７を気筒列方向と直交する幅方向から見た状態で示すとともに、シリンダヘッド４およびラジエータ６を上側から見た状態で示している。
【００２２】
本実施形態におけるエンジン１は、図１に示されるように、シリンダブロック３および当該シリンダブロック３の上部に結合されたシリンダヘッド４を有するエンジン本体２と、シリンダブロック３の下部に結合されたオイルパン９と、シリンダブロック３における気筒列方向一端部（エンジン前側端部）に設けられた機械式ウォータポンプ５と、シリンダブロック３における気筒列方向他端部（エンジン後側端部）に結合されたトランスミッション７と、オイルパン９における気筒列方向一端部（エンジン前側端部）の側部に設けられた流量制御弁８と、エンジン本体２の車両前後方向前方側に設けられたラジエータ６と、シリンダブロック３の気筒列方向他端部に設けられたオイルポンプ９１（図７参照）と、このオイルポンプ９１にクランク軸８０ａの回転力を伝達する動力伝達機構９２と、機械式ウォータポンプ５とラジエータ６とを繋ぐ第１冷却液管１０（本発明の「第１冷却液通路」に相当する）と、ラジエータ６とヘッド側ウォータジャケット６０とを繋ぐ第２冷却管１１（本発明の「第２冷却液通路」に相当する）と、第２冷却液管１１から分岐して流量制御弁８に接続される分岐管１２（本発明の「分岐通路」に相当する）と、オイルパン９の気筒列方向に沿って形成された側部に設けられるオイルクーラ１３と、トランスミッション７に設けられる図外のＡＴＦウォーマとを備えている。
【００２３】
本実施形態に係るエンジンの冷却装置は、エンジン１の構成要素のうち、エンジン本体２に形成されたウォータジャケット、具体的には、シリンダブロック３に形成されたブロック側ジャケット３０およびシリンダヘッド４に形成されたヘッド側ウォータジャケット６０と、上記機械式ウォータポンプ５と、上記ラジエータ６と、上記第１冷却液管１０と、上記流量制御弁８と、上記第２冷却管１１と、上記分岐管１２とを備えている。
【００２４】
以下、本実施形態に係る冷却装置を含むエンジン１の各構成要素について詳細に説明する。
【００２５】
（シリンダブロック）
図４に示されるように、本実施形態におけるシリンダブロック３は、４つの気筒♯１〜♯４と、これら４つの気筒を囲むいわゆるオープンデッキ型のブロック側ウォータジャケット３０と、気筒列方向の一端部に開口し、ブロック側ウォータジャケット３０に冷却液を導入する冷却液入口部３１（図５参照）と、エンジン本体２を車幅方向一端側（本実施形態では右側）のサイドフレーム（図示略）に固定するエンジンマウント用ブラケット３３（図２参照）をシリンダブロック３の側面に取り付けるための複数のボス部３２とを備えている。
【００２６】
本実施形態では、ボス部３２は、当該ボス部３２にエンジンマウント用ブラケット３３をボルト結合するためのボルト孔（図示略）を有し、シリンダブロック３の気筒列方向一端部（エンジン前側端部）に３つ設けられている。エンジンマウント用ブラケット３３は、３つのボス部３２により３点支持される。
【００２７】
ブロック側ウォータジャケット３０は、気筒列方向の他端部等において、シリンダヘッド４に形成された上記ヘッド側ジャケット６０と連通している。
【００２８】
図５に示される例では、冷却液入口部３１は、気筒列方向に直交する幅方向（車両前後方向）に相互に離間するように設けられた２つの開口部３１ａ，３１ｂを有している。これら開口部３１ａ，３１ｂは、図４に示されるウォータポンプ５のポンプカバー２２により覆われており、このポンプカバー２２の内側で、ウォータポンプ５の吐出口と連通している。
【００２９】
（シリンダヘッド）
シリンダヘッド４は、本実施形態では、図１に示されるように、ブロック側ウォータジャケット３０と連通するヘッド側ウォータジャケット６０と、このヘッド側ウォータジャケット６０における気筒列方向一端部に設けられた冷却液出口部４１とを備えている。本実施形態では、図６に示されるように、ヘッド側ウォータジャケット６０は、燃焼室の上部（弁座付近）を冷却する燃焼室冷却用ウォータジャケット６０ａ，６０ｂ，６０ｃと、排気ポート周辺を冷却する図外の排気ポート冷却用ウォータジャケットとを備えている。排気ポート冷却用ウォータジャケットは、燃焼室冷却用ウォータジャケット６０ａ，６０ｂ，６０ｃと連通している。
【００３０】
（オイルパン）
オイルパン９は、エンジンオイルを貯留する容器である。オイルパン９の気筒列方向一端側の側面は、その上端部よりも下側の部分が当該上端部よりも気筒列方向の他端側に窪んでおり、その窪んだ部分（側部）９ａ（図２参照。以下、「窪み部９ａ」と称する）を有している。窪み部９ａは、シリンダブロック３の気筒列方向一端側の側面よりも、気筒列方向他端側に位置している。また、オイルパン９の気筒列方向に沿って形成された側部には、図２、図３に示すようにオイルクーラ１３とオイルフィルタ１４が取り付けられており、オイルポンプ９１から供給されるオイルをオイルパン９の壁部に形成された図示しないオイル通路を介してオイルフィルタ１４とオイルクーラ１３に流通させるようにしている。
【００３１】
（機械式ウォータポンプ）
機械式ウォータポンプ５は、クランク軸の回転力を受けて駆動されるように構成されている。機械式ウォータポンプ５は、シリンダブロック３の気筒列方向の一端部に取り付けられている。
【００３２】
（トランスミッション）
トランスミッション７は、クランク軸の回転数やトルクを変換して、その変換した回転数やトルクをドライブシャフト等に伝達する。トランスミッション７の気筒列方向他端部には、トランスミッション７を車幅方向他端側（本実施形態では左側）のサイドフレーム（図示略）に固定するトランスミッションマウント用ブラケット（図示略）をトランスミッション７に取り付けるための複数のボス部（図示略）が備えられている。
【００３３】
（ラジエータ）
ラジエータ６は、本実施形態では、図２に示されるように、車幅方向（本実施形態では気筒列方向）に沿った長辺を有する長方形状のラジエータコア６５と、このラジエータコア６５の上端（上辺）に沿って延びるようにラジエータコア６５に接続されたアッパタンク６３と、ラジエータコア６５の下端（下辺）に沿って延びるようにラジエータコア６５に接続されたロアタンク６４とを備えるダウンフロー型のラジエータである。
【００３４】
ラジエータコア６５は、上下方向に延びて車幅方向（本実施形態では気筒列方向）に並ぶとともにアッパタンク６３とロアタンク６４とを繋ぐ複数のチューブ（図示略）と、このチューブに沿うように当該チューブに取り付けられた放熱用の波状フィン（図示略）とを有している。
【００３５】
本実施形態では、図２に示されるように、アッパタンク６３は、その気筒列方向一端部に、冷却液を導入するラジエータ側冷却液導入部６１を有している。ロアタンク６４は、その気筒列方向他端部に、冷却液を導出する冷却液導出部６２を有している。
【００３６】
ラジエータ６は、冷却液導入部６１からアッパタンク６３内に冷却液を導入し、導入した冷却液をアッパタンク６３を通じて気筒列方向一端側から他端側へ流しつつ、ラジエータコア６５の各チューブを通じてロアタンク６４まで降下させ、降下した冷却液をロアタンク６４を通じて気筒列方向他端側へ流して、冷却液導出部６２から導出するように構成されている。
【００３７】
（オイルポンプ）
オイルポンプ９１（図７参照）は、オイルパン９内のエンジンオイルを汲み上げて、オイルフィルタ１４とオイルクーラ１３を通過してエンジン本体２内の所要箇所に供給するものである。所要箇所に供給されたオイルは、エンジン本体２内の油路やクランクケースを通じてオイルパン９内に戻る。本実施形態におけるオイルポンプ９１は、シリンダブロック３の気筒列方向他端部（エンジン後側端部）、具体的には、上記流量制御弁８とは反対側の位置に設けられている。オイルポンプ９１は、クランク軸８０ａの回転力によって駆動される。
【００３８】
（動力伝達機構）
動力伝達機構９２は、クランク軸８０ａの回転力を、オイルポンプ駆動軸９０ａ、吸気弁駆動軸（吸気側カム軸）３２ａ、および排気弁駆動軸（排気側カム軸）４１ａに伝達するものである。動力伝達機構９２は、本実施形態では、クランク軸８０ａに形成されたクランク用スプロケット８０と、オイルポンプ駆動軸９０ａに固定されたポンプ用スプロケット９０と、吸気弁駆動軸３２ａに固定された吸気弁用スプロケット３２と、排気弁駆動軸４１ａに固定された排気弁用スプロケット４１と、クランク用スプロケット８０およびポンプ用スプロケット９０に巻き掛けられる第１タイミングチェーン４３と、クランク用スプロケット８０、吸気弁用スプロケット３２、および排気弁用スプロケット４１に巻き掛けられる第２タイミングチェーン５０と、第１タイミングチェーン４３を押さえる第１押圧部材（チェーンテンショナー）１９と、第２タイミングチェーン５０を押さえる第２押圧部材（チェーンテンショナー）６０とを備えている。
【００３９】
（第１冷却液管）
第１冷却液管１０は、図１〜３に示される例では、第１冷却液管１０は、流量制御弁８よりも上流側の部分１０ａ（以下、「上流側部分１０ａ」と称する）と、流量制御弁８よりも下流側の部分１０ｂ（以下、「下流側部分１０ｂ」と称する）とを有している。図２，３に示される例では、第１冷却液管１０の下流側部分１０ｂは、エンジン本体２における気筒列方向一端側において、湾曲しながら機械式ウォータポンプ５の吸込口から流量制御弁８まで斜め下方に延びている。また、第１冷却液管１０の上流側部分１０ａは、エンジン本体２における気筒列方向のラジエータ６に沿って延び一端側において、若干湾曲しながら流量制御弁８からラジエータ側冷却液導出部６２まで略水平方向に延びている。
【００４０】
（第２冷却液管）
第２冷却液管１１は、図２，３に示されるように、全長にわたりエンジン本体２における気筒列方向一端側に位置している。図２，３に示される例では、第２冷却液管１１は、エンジン本体２における気筒列方向の一端側において、若干湾曲しながら冷却液出口部４１からラジエータ側冷却液導入部６１まで略水平方向に延びている。
【００４１】
（分岐管）
分岐管１２は、ラジエータ６をバイパスする機能と、補機に冷却液を供給する機能とを有している。本実施形態における分岐管１２の途中部には、オイルクーラ１３やＡＴＦウォーマ等の補機が介設されている。なお、図１に示される例では、分岐管１２の本数が１本とされているが、複数本であってもよい。
【００４２】
（流量調整弁）
流量制御弁８には、第１冷却液管１０と分岐管１２とが個別に接続されるとともに開度を調節可能な複数のポートを有している。例えば、エンジン始動時には、ラジエータ６から延びる第１冷却液管１０ａと接続されるポートを閉じて、分岐管１２と接続されるポートを開くことにより、ラジエータ６への冷却液の供給が停止され、ブロック側ウォータジャケット３０およびヘッド側ウォータジャケット６０等を冷却液が通過する。これにより、冷却液の昇温が促進され、エンジン始動時の暖気が促進される。また、エンジン１の暖気が終了した後には、ラジエータ６から延びる第１冷却液管１０ａと接続されるポートを開くとともに、分岐管１２と接続されるポートを開くことにより、ラジエータ６を冷却液が通過するとともに、ブロック側ウォータジャケット３０およびヘッド側ウォータジャケット６０等を冷却液が通過する。これにより、エンジン本体２等を適切に冷却することができる。
【００４３】
（本実施形態の作用効果）
次に、本実施形態の作用効果について説明する。
【００４４】
本実施形態よれば、図２、３に示されるように、前記流量制御弁８を前記エンジン本体における気筒列方向の一端側のオイルパン９の側部に配置することにより、他の補機類とのレイアウト干渉を抑制しつつ、ウォータポンプ５と前記流量制御弁８とを同じ気筒列方向の一端側に配置できるため、各冷却液管１０、１１の取り回しレイアウトが容易となって第１冷却液管１０および第２冷却液管１１が、主に、エンジン本体２における気筒列方向一端側に配置されているため、第１冷却液管１０および第２冷却液管１１を車幅方向の略同じ位置もしくは互いに近い位置に集中的に配置することができる。その結果、第１冷却液管１０と第２冷却液管１１及び分岐管１２などの部品重量の増大を防止することができるとともに、第１冷却液管１０、第２冷却液管１１、分岐管１２およびウォータジャケット３０を有する冷却液循環経路を流れる冷却液の容量が増大するのを防止し、これによりエンジンの暖気性能を確保することができる。
【００４５】
また、流量制御弁８をオイルパン９における気筒列方向一端側の側部に配置するため、他の補機類などとのレイアウト干渉を抑制しつつ、流量制御弁８をコンパクトに配置することができる。
【００４６】
また、本実施形態によれば、オイルポンプ９１と吸気弁駆動軸３２ａ、および排気弁駆動軸４１ａを、クランク軸８０ａの回転力で駆動する動力伝達機構９２とを、エンジン本体２における気筒列方向他端部に設けることにより、オイルポンプの従来の配置スペース、さらには吸気弁駆動軸３２ａ、および排気弁駆動軸４１ａの動力伝達機構の配置スペースが不要となるため、オイルパン９における気筒列方向一端側の側部に設けた窪み部９ａに配置することが可能となる。これにより、流量制御弁８をよりコンパクトに配置することができる。
【００４７】
また、本実施形態によれば、エンジンマウント用ブラケット３３によりエンジン本体２をサイドフレームに固定することができる。
【００４８】
また、本実施形態におけるエンジン１は、ＦＦ方式（フロントエンジン・フロントドライブ方式）の駆動装置に適用されるエンジンであるが、これに限定されず、ＦＲ方式（フロントエンジン・リアドライブ方式）の駆動装置に適用されてもよい。エンジン１をＦＲ方式に適用する場合には、エンジン１は、気筒列方向が車両前後方向を向くとともにエンジン本体の冷却液入口部および冷却液出口部が気筒列方向におけるラジエータ側に位置するように縦置きに配置される。
【００４９】
また、本実施形態によれば、オイルクーラ１３などに冷却液を循環させる分岐管１２は、第２冷却液管１１から分岐するようにしているが、これに替えてウォータポンプ５下流の冷却液入口部３１又はブロック側ウォータジャケット３０から分岐するようにしてもよい。
【符号の説明】
【００５０】
１  多気筒エンジン
２  エンジン本体
３  シリンダブロック
４  シリンダヘッド
５  機械式ウォータポンプ
６  ラジエータ
８  流量制御弁
９  オイルパン
１０  第１冷却液管（第１冷却液通路）
１１  第２冷却液管（第２冷却液通路）
３０  ブロック側ウォータジャケット
３１  冷却液入口部
３３  エンジンマウント用ブラケット
４０  ヘッド側ウォータジャケット
４１  冷却液出口部
６１  ラジエータ用冷却液導入部
６２  ラジエータ用冷却液導出部
【図１】
0006376144.tif 000002
【図２】
0006376144.tif 000003
【図３】
0006376144.tif 000004
【図４】
0006376144.tif 000005
【図５】
0006376144.tif 000006
【図６】
0006376144.tif 000007
【図７】
0006376144.tif 000008